(57)【特許請求の範囲】
【請求項１】
支保工（２）の外側に、通水性を有する筒状袋（４）を部分的に長さ方向に内面を解離可能の固着部（５）において固着して少くとも一つの縮小された筒状部（６）を形成した袋体（１）を装着し、当該袋体（１）の筒状部（６）内に裏込材を圧入して膨ませ、次いでその裏込材の圧力により前記固着部（５）を解離させて筒状部（６）を拡大させ、筒状袋（４）全体に裏込材を充填し、支保工（２）と地山（３）との空隙を埋めて地山（３）を支持することを特徴とする、支保工の裏込方法
【請求項２】
前記筒状袋（４）における固着部（５）が、筒状袋（４）の長さ方向に線状に形成されて袋体（１）に複数の筒状部（６）が形成されており、当該筒状部（６）内に裏込材を圧入することにより前記固着部（５）が解離し、当該筒状部（６）と前記固着部（５）を介して隣接する筒状部（６）とが合体して、拡大された新たな筒状部（６）を形成することを特徴とする、請求項１に記載の支保工の裏込方法
【請求項３】
前記袋体（１）が、単一の筒状部（６）と、当該筒状部（６）に連続した面状の固着部（５）とを有しており、前記筒状部（６）に裏込材を圧入することにより、前記固着部（５）が筒状部（６）に近い部分から順次解離して筒状部（６）が拡大することを特徴とする、請求項１に記載の支保工の裏込方法
【請求項４】
通水性を有する筒状袋（４）を部分的に長さ方向に内面を解離可能に固着して、少くとも一つの縮小された筒状部（６）を形成したことを特徴とする、支保工の裏込材充填用袋体
【請求項５】
前記筒状袋（４）における固着部（５）が、筒状袋（４）の長さ方向に線状に形成されて、袋体（１）に複数の筒状部（６）が形成されていることを特徴とする、請求項４に記載の支保工の裏込材充填用袋体
【請求項６】
前記袋体（１）が、単一の筒状部（６）と、当該筒状部（６）に連続した面状の固着部（５）とを有していることを特徴とする、請求項４に記載の支保工の裏込材充填用袋体
【請求項７】
支保工（２）の外側に通水性を有する筒状袋（４）よりなる袋体を折畳んだ状態で装着し、当該支保工（２）と袋体（１）とを張力により不可逆的に伸長可能の紐体（８）で所定間隔毎に結紮し、前記袋体（１）内に裏込材を圧入して前記紐体（８）を伸長せしめつつ袋体（１）を膨脹せしめ、支保工（２）と地山（３）との空隙を埋めて地山（３）を支持することを特徴とする、支保工の裏込方法
【請求項８】
紐体（８）の端末同士を重複させてその外側からかしめ、袋体（１）を膨脹させることにより紐体（８）がかしめ部分でずれて不可逆的に伸長することを特徴とする、請求項７に記載の支保工の裏込方法
【請求項９】
紐体（８）の一部を折畳んでその重合部分（１１）を解離可能に固着し、袋体（１）を膨脹させることにより前記紐体（８）の重合部分（１１）の固着が解離して不可逆的に伸長することを特徴とする、請求項７に記載の支保工の裏込方法
【請求項１０】
前記紐体（８）が不可逆的に伸長して前記袋体（１）が膨んだ状態で、紐体（８）を破断せしめることを特徴とする、請求項７，８又は９に記載の支保工の裏込方法
【請求項１１】
袋体（１）に巻回した紐体（８）に紐状体（７）を止着し、当該紐状体（７）を前記支保工（２）に巻回することにより袋体（１）を支保工（２）に対して取付けることを特徴とする、請求項７，８，９又は１０に記載の支保工の裏込方法
【請求項１２】
前記袋体（１）が、請求項４，５又は６に記載の裏込材充填用袋体（１）であることを特徴とする、請求項７，８，９，１０又は１１に記載の支保工の裏込方法
【請求項１３】
通水性を有する筒状袋（４）に、張力により不可逆的に伸長可能の紐体（８）を巻回し、当該紐体（８）に支保工（２）に巻回する紐状体（７）を止着したことを特徴とする、支保工の裏込材充填用袋体
【発明の詳細な説明】
【０００１】
【発明の属する技術分野】
本発明はトンネル掘削工事において、支保工と地山との間を裏込して地山のゆるみを防止するための裏込方法及び、当該裏込方法において使用するための裏込材充填用袋体に関するものである。
【０００２】
【従来の技術】
トンネルの掘削工事においては、図１に示すように、掘削されたトンネルの内側に支保工２を構築し、当該支保工２の外側に通水性の袋体１を装着し、当該袋体１内にモルタルなどの裏込材を充填して硬化させ、支保工２と地山３との空隙を埋めて地山を支持することが行われている。（例えば特開平３−２０８９９２号など）
【０００３】
【発明が解決しようとする課題】
しかしながらこの方法においては、袋体１はアーチ型の支保工２の上部から側上部にかけて装着されるため、袋体１内にモルタルなどの裏込材を注入したとき、その充填の初期において裏込材は図２（ａ）に示すように袋体１の下部に滞留し、支保工２による袋体１の支持が不安定となる。
【０００４】
しかも袋体１はほゞ支保工の幅と同程度の径を有するものが使用されるため、裏込材の充填前に袋体１が偏平に折畳まれた状態では、図２（ｂ）に実線で示すように、袋体１の折畳み幅が支保工２の幅よりも大きくなる。この袋体１に裏込材を充填することにより鎖線Ａに示されるように膨んで支保工２と地山３との間を裏込材を充填した袋体１が満たすべきところ、裏込材が袋体１のいずれかの側部に偏ると、鎖線Ｂに示されるように支保工２からはみだした部分に裏込材が入り、その裏込材の重量により袋体１が側方にずれて、支保工２から側方にずり落ちる可能性がある。
【０００５】
袋体１を幅方向に折畳むことにより袋体１を支保工２の幅内に収めることも可能ではあるが、その折畳み状態が開いて膨む過程において袋体１が複雑な動きをし、支保工２からのずり落ちを防ぐことは困難である。
【０００６】
また袋体１を粘着テープや接着剤などで支保工２に固着することも行われているが、その固着部分で袋体１を支持しつつ、図２（ｂ）の鎖線Ｂに示されるように側方に大きく偏椅した袋体１を、支保工２からずり落ちさせようとする裏込材の重量に抗して、袋体１の膨脹力により再度支保工２の上部の正しい位置に復帰させるように作用するので、袋体１には過大の力が作用し、固着部が剥がれたり袋体１が破断したりする恐れがある。
【０００７】
また袋体１を紐体で支保工２に結紮することによりずり落ちを防止することもできるが、当該紐体で結紮した位置では袋体１が当該紐体で押えられて括れて十分に膨まず、地山３を支えることができない。またゴム等の伸長可能な紐体では、袋体１のずり落ちを防止することができない。
【０００８】
本発明はかかる事情に鑑みなされたものであって、袋体１に裏込材を充填する際に、袋体１が側方にずれたり支保工２からずり落ちたりすることがなく、支保工２の外側に支持された状態のままで適切に膨むことができ、地山３と支保工２との空隙を埋めて、地山を適切に支えることができる方法及び、袋体１を提供することを目的とするものである。
【０００９】
【課題を解決するための手段】
而して本発明の第一の裏込方法の発明は、支保工の外側に、通水性を有する筒状袋を部分的に長さ方向に内面を解離可能の固着部において固着して少くとも一つの縮小された筒状部を形成した袋体を装着し、当該袋体の筒状部内に裏込材を圧入して膨ませ、次いでその裏込材の圧力により前記固着部を解離させて筒状部を拡大させ、筒状袋全体に裏込材を充填し、支保工と地山との空隙を埋めて地山を支持することを特徴とするものである。
【００１０】
この発明の方法においては、前記筒状袋における固着部として、筒状袋の長さ方向に線状に形成されて袋体に複数の筒状部が形成されたものを使用し、その筒状部に裏込材内を圧入することにより前記固着部が解離し、当該筒状部と前記固着部を介して隣接する筒状部とが合体して、拡大された新たな筒状部を形成することができる。
【００１１】
またこの発明においては、前記袋体として、単一の筒状部と、当該筒状部に連続した面状の固着部とを有するものを使用し、前記筒状部に裏込材を圧入することにより、前記固着部が筒状部に近い部分から順次解離して筒状部が拡大するものとすることもできる。
【００１２】
次に、本発明の第一の裏込材充填用袋体の発明は、前記裏込方法に使用する袋体であって、通水性を有する筒状袋を、部分的に長さ方向に内面を解離可能に固着して、少くとも一つの縮小された筒状部を形成したことを特徴とするものである。
【００１３】
この袋体においては、前記筒状袋における固着部が、筒状袋の長さ方向に線状に形成されて、袋体に複数の筒状部が形成されているものとすることができる。またこの袋体は、単一の筒状部と、当該筒状部に連続した面状の固着部とを有しているものであってもよい。
【００１４】
次に本発明の第二の裏込方法の発明は、支保工の外側に通水性を有する筒状袋よりなる袋体を折畳んだ状態で装着し、当該支保工と袋体とを張力により不可逆的に伸長可能の紐体で所定間隔毎に結紮し、前記袋体内に裏込材を圧入して前記紐体を伸長せしめつつ袋体を膨脹せしめ、支保工と地山との空隙を埋めて地山を支持することを特徴とするものである。
【００１５】
この方法においては、紐体の端末同士を重複させてその外側からかしめ、袋体を膨脹させることにより紐体がかしめ部分でずれることにより不可逆的に伸長させることができる。
【００１６】
また紐体の一部を折畳んでその重合部分を解離可能に固着し、袋体を膨脹させることにより前記紐体の固着部分が解離して、不可逆的に伸長せしめることもできる。
【００１７】
またこの方法においてはは、前記紐体が不可逆的に伸長して前記袋体が膨んだ状態で、紐体を破断せしめることが好ましい。
【００１８】
またこの方法においては、袋体に巻回した紐体に紐状体を止着し、当該紐状体を前記支保工に巻回することにより、袋体を支保工に対して取付けることを特徴とするものである。
【００１９】
さらにこの第二の方法では、袋体は単なる筒状袋であっても差支えないが、前記第一の方法の発明と同様の部分的に固着部を形成した裏込材充填用袋体を使用することがより好ましい。
【００２０】
また本発明の第二の袋体の発明は、通水性を有する筒状袋に、張力により不可逆的に伸長可能の紐体を巻回し、当該紐体に支保工に巻回する紐状体を止着したことを特徴とするものである。
【００２１】
【発明の実施の形態】
以下本発明の実施の形態を、図面に基いて説明する。図３は本発明の袋体１の一形態を示すものであって、（ａ）はその袋体１の横断面図であり、（ｂ）はその使用状態を示すものである。
【００２２】
この袋体１は筒状織物などの通気性を有する筒状袋４よりなっており、両側部の内面が固着部５において筒状袋４の長さ方向に線状に固着され、長さ方向に延びる二つの筒状部６ａ，６ｂを形成している。
【００２３】
筒状袋４の径は特に限定されるものではないが、支保工２と地山３とを強固に支持するためには、支保工２の幅とほゞ同程度とするのが好ましい。支保工２の幅とほゞ同程度とは、支保工２の幅±３０％程度である。筒状袋４の径が小さいと支保工２及び地山３に強固に接触することができず、また径が過大であると本発明においても支保工２からずり落ちる恐れがある。
【００２４】
固着部５は筒状部６内に裏込材を充填して内圧を作用させたとき、その充填時の最大圧力に近い内圧によって解離し得るように固着されている。かかる固着の手段としては、筒状袋４の両側部を縫合して固着することができ、また適宜の接着剤で接着し、又はホチキスなどで固定することもできる。
【００２５】
筒状部６ａ，６ｂの大きさは、最大の筒状部６ａの径が支保工２の幅の２／３以下とするのが適当である。筒状部６ａの径が支保工２の幅の２／３であると、これを偏平に折畳んだときにその折畳み幅がほゞ支保工２の幅に一致し、それ以下であれば、筒状部６ａが支保工２の側縁からはみだすことがない。
【００２６】
而してこの袋体１を使用して裏込めを行うには、二つの筒状部６ａ，６ｂが重なるように偏平に折畳み、これを支保工２の外側に装着する。この状態が図３（ｂ）に実線で示されている。このとき袋体１が弛まないように、長手方向にテンションをかけながら、袋体１の両端をベルトなどで支保工２に固定するのが好ましい。
【００２７】
また袋体１の上端には、ループ状のベルトなどを固着し、当該ベルトなどを支保工２の上部中央部における突合わせ部に形成されたフランジなどに引っ掛け、袋体１の重量を支えるようにするのが好ましい。
【００２８】
ここで支保工２に接触した側の筒状部６ａに裏込材を圧入すると、図３（ｂ）に鎖線Ａで示すように筒状部６ａが膨脹する。このとき筒状部６ａは、これを偏平に折畳んだ状態における折畳み幅は、支保工２の幅にほゞ一致していてはみ出していないので、筒状部６ａの膨み方に多少のむらがあったとしても、袋体１が支保工２からずり落ちるようなことはなく、支保工２の外周に接触した状態で膨脹する。
【００２９】
なお袋体１に裏込材を圧入する際には、地山３に近い側の筒状部６ｂから圧入することもでき、また両筒状部６ａ，ｂに同時に圧入することも可能であるが、袋体１を安定して膨らませるためには、支保工２に接触した側の筒状部６ａから圧入するのが好ましい。
【００３０】
この膨脹の際に、図３（ｂ）では筒状部６ａが地山３に押付けられているが、これは必ずしも必要ではなく、地山３に接触しなくても差支えない。また他方の筒状部６ｂは、図面では最初の折畳み状態を維持したままであるが、この折畳み状態は必ずしも維持されている必要はなく、筒状部６ａが膨脹する際に折畳み状態が崩れたり変形したりしても差支えない。
【００３１】
而して筒状部６ａに裏込材を充填し、筒状部６ａが十分に膨脹したならば、さらに裏込材に圧力をかけて筒状部６ａ内を加圧する。これにより固着部５が解離し、裏込材が筒状部６ｂ内に流入し、筒状部６ａと筒状部６ｂとが合体して一体の筒状袋４となる。そしてさらに裏込材が圧入されて図３（ｂ）に鎖線Ｂで示すように筒状袋４全体に充填される。
【００３２】
この状態で裏込材の圧力を保持すると、裏込材中の水分が筒状袋４の布目から排出されて濃縮され、硬化して、支保工２と地山３との間に強固な裏込を形成し、地山３のゆるみを阻止する。
【００３３】
図４は本発明における袋体１の他の例を示すものであって、（ａ）は筒状袋４の二カ所に固着部５ａ，５ｂが形成され、筒状部６ａ，６ｂ，６ｃを三つ形成したものである。なお固着部の数をさらに増して、さらに多数の筒状部を形成することもできる。
【００３４】
この例においては、筒状部６ａに裏込材を圧入し、筒状部６ａ内を加圧したとき、先ず筒状部６ａ，６ｂ間の固着部５ａが解離して、筒状部６ａと筒状部６ｂとが合体し、より大きな筒状部となる。次いでさらに裏込材を圧入してその筒状部を加圧すると、さらに次の固着部５ｂが解離して筒状部６ｃをも含めた全筒状部６ａ，６ｂ，６ｃが合体して一体の筒状袋４となる。
【００３５】
このように筒状部６の数を多くすることにより、単一の筒状部６の大きさを小さいものとして、支保工２からのずり落ちをより確実に防止することができると共に、固着部５が解離する前後の裏込材を圧入している筒状部６の容量の変化を少くし、固着部５が解離する衝撃で袋体１が動いて支保工２からずり落ちる可能性をも少くすることができる。
【００３６】
また図４（ｂ）は、図３（ａ）に示された袋体１における筒状部６ｂに相当する部分を、全体に亙って縫着又は接着などにより固着して、一体の固着部５を形成したものであって、単一の筒状部６と、当該筒状部６に連続した面状の固着部５とよりなっている。
【００３７】
この例においては、筒状部６に裏込材を圧入して筒状部６内を加圧したとき、先ず固着部５が筒状部６に近い部分から順次解離して筒状部６が拡大し、最終的に固着部５が全て解離したときには固着部５が全て筒状部６に吸収され、全体が一体の筒状袋４となる。
【００３８】
この例によれば、袋体１の筒状部６が徐々に拡大して最終的な筒状袋４になるので、その袋体１の膨みかたがスムーズであり、支保工２の外側においてより安定したものとなる。
【００３９】
図５乃至図８は、本発明の第二の裏込方法及び当該方法に使用する袋体の発明を示すものである。図５はその一例を示すものであって、（ａ）は支保工２に袋体１を取付けた状態を示している。
【００４０】
すなわち支保工２に適宜の間隔をおいて紐状体７が巻回されており、その支保工２の外側に沿って偏平に折畳まれた袋体１が配置され、当該袋体１は前記紐状体７に固着されている。袋体１は折畳み幅が支保工２の両側縁からはみ出ないように折畳まれていることが好ましいが、その折畳み形状は特に限定されることはなく、適当に折畳めばよい。
【００４１】
なお袋体１は、紐状体７を固着したものを予め用意しておき、これを支保工２に沿って配置して紐状体７で取付けることにより、袋体１を支保工２に対して装着することができる。
【００４２】
そしてその袋体１と支保工２とを紐体８で結紮している。この紐体８は袋体１及び支保工２に巻回した状態で金属スリーブ９に通し、この金属スリーブ９をかしめることにより固定されている。そしてその紐体８の端末部は金属スリーブ９から相当の長さに亙って延びており、その端末にはストッパー１０が取付けられている。
【００４３】
而してこの紐体８に張力が作用すると、前記金属スリーブ９のかしめ部分で紐体８がずれることにより、紐体８は端末部の余剰長さに亙って不可逆的に伸長することができるようになっている。
【００４４】
そして図８に示されるように、支保工２の外側に配置された袋体１が、間隔をおいた複数箇所において紐体８で結紮された状態となっている。
【００４５】
ここで袋体１内に裏込材を圧入して袋体１を膨ませると、その袋体１を結紮した紐体８に張力が作用し、その張力により金属スリーブ９によるかしめ部分においてずれて、紐体８の輪が伸長する。この紐体８の伸長は、紐体８の張力が小さい間は全く生じることがなく、張力の大きさが所定の大きさとなったときに突然に生じるものであり、且つ一旦生じた伸長が回復することはなく、不可逆的な伸長である。
【００４６】
而して袋体１は紐体８を伸長させながら膨脹し、この状態が図５（ｂ）に示されている。そして紐体８は最終的にはストッパー１０により伸長が停止せしめられ、この頃には袋体１はほゞ最大限に膨脹して、支保工２と地山３との間に嵌合された状態となる。
【００４７】
この状態でも袋体１は支保工２と地山３とに強く密着しており、このまま裏込材を硬化させてもよいが、この状態では袋体１は紐体８に結紮されているためにその結紮個所において括れが生じており、その括れの個所において地山３との間に隙間が生じる。
【００４８】
従って袋体１が十分に膨んだ状態において、図５（ｃ）に示すように適宜の破断個所１３において紐体８を破断せしめ、紐体８による抑制を解除して袋体１を十分に膨脹せしめるのが好ましい。
【００４９】
紐体８を破断させる手段としては、紐体８を刃物などで切断することもできるが、紐体８の強度を調整することにより、又は紐体８の適宜の個所を部分的に弱化せしめておくことにより、裏込材の圧入圧力による張力で紐体８を破断せしめることもできる。またストッパー１０を、強く引張ることにより金属スリーブ９を通過可能のものとすることにより、紐体８がかしめ部分を抜けて破断するようにすることもできる。
【００５０】
前記紐状体７及び紐体８としては、紐、ロープ、テープ、ベルトなどを使用することができる。また支保工２に巻回された紐体８と、袋体１を結紮する紐状体７とは、別個のものである必要はなく、両者を一本の連続した紐などで構成し、その一部を紐体８として袋体１を結紮し、他の一部を紐状体７として支保工２に巻回することもできる。
【００５１】
図６は第二の方法における他の例を示すものであって、袋体１を結紮する紐体８の一部を折畳んで、その重合部分１１を解離可能に固着している。固着の手段としては縫合、接着剤による接着などによることができ、また全体に亙って連続的に固着してもよく、断続的に固着することもできる。
【００５２】
なおこの例では紐体８の両端は、支保工２の両側部において固着部１２で紐状体７に固着されているが、先の図５の例のように袋体１および支保工２に巻回しても差支えない。また図５の例において、この例のように紐体８の両端を固着部１２で紐状体７に固着した構造とすることも可能である。
【００５３】
而してこの例において袋体１内に裏込材を充填し、袋体１が膨脹すると、紐体８に張力が作用し、その張力により前記紐体８の重合部分１１の固着が解離して不可逆的に伸長し、袋体１の膨脹を許容する。この状態が図６（ｂ）に実線で示されている。
【００５４】
そして紐体８が伸長しつつ袋体１が膨脹し、図６（ｂ）に鎖線で示すように支保工２及び地山３に圧接する。このとき先の例の場合と同様に紐体８が破断個所１３で破断するのが好ましい。紐体８はその適宜の個所で破断してもよいが、前記重合部分１１の先端が分離したものとし、重合部分１１が全て解離したときに紐体８が両側に分離して、破断するようにすることができる。
【００５５】
この第二の方法の発明においては、紐状体７は必ずしも必要なものではないが、この紐状体７により袋体１を支保工２に装着する操作を容易ならしめることができる。また図６のように、袋体１を結紮した紐体８を紐状体７に固着して、予め紐状体７を袋体１に取付けておくことにより、紐状体７を支保工２に取り付けることによって袋体１及び紐体８をも所定の状態で支保工２に装着することができる。
【００５６】
また紐状体７及び紐体８を予め袋体１に取付けた構造として、図７に示すような構造を取ることができる。図７（ａ）はその一例であって、金属スリーブ９により不可逆的に伸長可能とした紐体８を袋体１に巻回し、袋体１の両側部において紐体８に紐状体７の端末を固着したものである。この紐状体７を支保工２に巻回して両端を適宜の手段で接続することにより、袋体１を支保工２に装着することができる。
【００５７】
また図７（ｂ）は他の例であって、１本の連続した紐１４の二か所に結び目１４ａを形成して輪１４ｂを作り、当該輪１４ｂの先端に針金のリング１５を連結しており、前記結び目１４ａを袋体１の両側部に位置せしめて、紐１４における結び目の間の部分１４ｃ及び両端部１４ｄで袋体１を囲繞し、金属スリーブ９で不可逆的に伸長可能としている。
【００５８】
この例においては、紐１４における部分１４ｃ及び両端部１４ｄが前記紐体８の機能を有し、輪１４ｂの部分が紐状体７となる。そして輪１４ｂと間の部分１４ｃ都で支保工２を囲繞し、両リング１５を捩り合わせることにより、袋体１を支保工２に装着することができる。
【００５９】
【作用】
本発明の第一の方法においては、袋体１が十分な径を有する筒状袋４よりなっており、且つ解離可能の固着部５により小径の筒状部６が形成されているので、裏込材充填の初期においては小径の筒状部６に裏込材が充填され、袋体１が支保工２からはみ出してずり落ちたり、局部的に過度に大量の裏込材が集中することがなく、袋体１が支保工２の外側に沿った状態のままで筒状部６に裏込材が充填され、ある程度まで袋体１が膨む。
【００６０】
然る後筒状部６にほゞ裏込材が充填され、圧力がかかると、固着部５が解離することにより筒状部６が拡大し、より大量の裏込材が充填されてより大きく膨脹するが、一旦全体に亙って膨脹して裏込材を充填された筒状部６が拡大するのであるから、局部的な裏込材の過度の集中が生じることがなく、また支保工２の外側面からの過度のはみ出しも生じない。
【００６１】
また第二の方法においては、支保工２とその外側に配置された袋体１とが紐体８で結紮されており、袋体１が支保工２の外側から脱落したり不用意に移動したりすることがない。そして袋体１内に裏込材を充填して膨脹させたとき、紐体８が不可逆的に伸長することにより袋体１の膨脹を許容しつつ、その袋体１を支保工２の所定の位置に拘束し、袋体１がその膨脹に伴って支保工２からずり落ちたり過度に不均一に膨脹するのが防止される。
【００６２】
【発明の効果】
従って本発明によれば、トンネル掘削工事において支保工２と地山３との間を裏込するに当り、袋体１に裏込材を充填する際に袋体１がずれたり支保工２からずり落ちたりすることがなく、支保工２の外側に支持された状態のままで適切に膨むことができ、地山３と支保工２との間を強固に裏込し、地山３を適切に支えることができる。
【００６３】
なお以上の説明においては、前記第一の方法と第二の方法とは別個の方法として説明してきたが、これらの二つの方法を一体のものとして、同時に実施することもできる。
【００６４】
すなわち、支保工２の外側に、第一の方法において使用される固着部５で縮小された筒状部６を有する袋体１を配置し、その袋体１と支保工２とを第二の方法により紐体８で結紮するのである。
【００６５】
而してこの方法で袋体１の筒状部６内に裏込材を充填すると、第一の方法に基いて支保工２に沿って筒状部６が膨脹すると共に、第二の方法に基いて結紮した紐体８が不可逆的に伸長する。そして袋体１における固着部５の解離と紐体８の不可逆的な伸長とが並行して生じつつ、筒状部６が拡大しながら袋体１が膨脹し、支保工２と地山３との間に裏込されることとなる。
【図面の簡単な説明】
【図１】支保工と地山とが裏込されたトンネルの横断面図
【図２】従来の袋体における問題点を示す図面
【図３】第一の方法の発明を示すものであって、（ａ）は袋体の一例を示す横断面図、（ｂ）は実施状態を示す横断面図である。
【図４】第一の方法の発明において使用する袋体の他の二つの例を示す横断面図
【図５】第二の方法の発明の実施の一形態を示す横断面図であって、（ａ）は支保工に袋体を装着した状態、（ｂ）は袋体が膨脹しつつある状態、（ｃ）は袋体の膨脹が完了した状態を示す。
【図６】第二の方法の発明の実施の他の形態を示す横断面図であって、（ａ）は支保工に袋体を装着した状態を示し、（ｂ）は袋体が膨脹する状態を示すものである。
【図７】（ａ）及び（ｂ）は、それぞれ第二の方法において使用する袋体の形態を示す横断面図である。
【図８】第二の方法において支保工２に袋体１を取付けた状態の正面図
【符号の説明】
１  袋体
２  支保工
３  地山
４  筒状袋
５  固着部
６  筒状部
７  紐状体
８  紐体
９  金属スリーブ
１０  ストッパー
１１  重合部分
１３  破断個所
【図１】
0003613419.tif 000002
【図２】
0003613419.tif 000003
【図３】
0003613419.tif 000004
【図４】
0003613419.tif 000005
【図５】
0003613419.tif 000006
【図６】
0003613419.tif 000007
【図７】
0003613419.tif 000008
【図８】
0003613419.tif 000009